(57)【要約】 【課題】  トルクの低下を抑えつつ打撃騒音を低減する。【解決手段】  回転駆動されるハンマー５と、該ハンマーに設けた突部５１が係合するアンビル６と、ハンマーをアンビル側に向けて付勢するばね８と、ハンマーの突部とアンビルとの係合時に負荷状態に応じてハンマーを軸方向に後退させるとともにハンマーとアンビルとの係合が離れた時点で上記ばねによるハンマーの前進動作に回転を伴わせるカム機能とを備える。ハンマーに設けた上記突部は、ハンマーの回転方向において先端側５１ｂが基端側５１ａよりも後退した２段形状であって、基端部と先端部との間にアンビルの端面と接触自在な段差面５１ｃを有する。打撃直後に段差面がアンビルと接触してアンビルの振動を抑制する。【選択図】  図１
2010228043.tif 000002
【特許請求の範囲】
【請求項１】
回転駆動されるハンマーと、該ハンマーに設けた突部が係合するアンビルと、ハンマーをアンビル側に向けて付勢するばねと、ハンマーの突部とアンビルとの係合時に負荷状態に応じてハンマーを軸方向に後退させるとともにハンマーとアンビルとの係合が離れた時点で上記ばねによるハンマーの前進動作に回転を伴わせるカム機能とからなるインパクト機構を具備するインパクト工具において、ハンマーに設けた上記突部は、ハンマーの回転方向において先端側が基端側よりも後退した２段形状であって、基端部と先端部との間にアンビルの端面と接触自在な段差面５１ｃを有していることを特徴とするインパクト工具。
【請求項２】
ハンマーの基端部側面と段差面とがなす角度が鋭角となる傾斜を段差面が有しており、アンビルにおける上記段差面と接触する端面と被打撃面とがなす角度が鋭角となる傾斜をアンビルの端面が有していることを特徴とする請求項１記載のインパクト工具。
【請求項３】
ハンマーの基端部側面と段差面とがなす角度よりもアンビルにおける端面と被打撃面とがなす角度が小であることを特徴とする請求項２記載のインパクト工具。
【請求項４】
ハンマーの段差面と、アンビルにおける上記段差面と接触する端面との少なくとも一方が凸曲面となっていることを特徴とする請求項１〜３のいずれか１項に記載のインパクト工具。
【発明の詳細な説明】
【技術分野】
【０００１】
本発明は、軸回りの回転方向衝撃を出力軸に対して与えるインパクト工具、殊にオイルパルス型のインパクト工具に関するものである。
【背景技術】
【０００２】
インパクト工具は小形軽量でありながら瞬間的に大きなトルクを発生させて強いトルクでの締め付け作業を行うことができるために、インパクトドライバやインパクトレンチとして多用されている。
【０００３】
このインパクト工具におけるインパクトの発生機構としては、回転駆動されるハンマーと該ハンマーによって打撃されるアンビルとからなるものが知られているが、これは共に金属で形成されたハンマーとアンビルとの衝突音のために騒音が大きいと問題を有している。
【０００４】
この騒音を抑制するために、特開２００６−２８９５４５号公報にはアンビルを分割して分割片間に緩衝材を設けることが提案されている。
【先行技術文献】
【特許文献】
【０００５】
【特許文献１】特開２００６−２８９５４５号公報
【発明の概要】
【発明が解決しようとする課題】
【０００６】
緩衝材を設けることは確かに騒音の低減において有効であるものの、緩衝材によって打撃衝撃の一部が吸収されてしまうために、得られるトルクの低下を招いてしまう。
【０００７】
本発明はこのような点に鑑みなされたものであって、トルクの低下を抑えつつ打撃騒音を低減することができるインパクト工具を提供することを課題とするものである。
【課題を解決するための手段】
【０００８】
本発明は、回転駆動されるハンマーと、該ハンマーに設けた突部が係合するアンビルと、ハンマーをアンビル側に向けて付勢するばねと、ハンマーの突部とアンビルとの係合時に負荷状態に応じてハンマーを軸方向に後退させるとともにハンマーとアンビルとの係合が離れた時点で上記ばねによるハンマーの前進動作に回転を伴わせるカム機能とからなるインパクト機構を具備するインパクト工具において、ハンマーに設けた上記突部は、ハンマーの回転方向において先端側が基端側よりも後退した２段形状であって、基端部と先端部との間にアンビルの端面と接触自在な段差面を有していることに特徴を有している。
【０００９】
ハンマーによるアンビルの打撃がなされる時、打撃衝撃はアンビルにそのまま加えられるが、打撃直後に段差面がアンビルと接触してアンビルの振動を抑制するために、騒音を抑制することができる。
【００１０】
また、ハンマーの基端部側面と段差面とがなす角度が鋭角となる傾斜を段差面が有しており、アンビルにおける上記段差面と接触する端面と被打撃面とがなす角度が鋭角となる傾斜をアンビルの端面が有していると、打撃時点から再接触までの時間を短くすることができて、騒音低減を更に図ることができる。
【００１１】
この時、ハンマーの基端部側面と段差面とがなす角度よりもアンビルにおける端面と被打撃面とがなす角度が小であると、傾斜を設けたことが打撃動作に悪影響を及ぼすことがなくなる。
【００１２】
そして、ハンマーの段差面と、アンビルにおける上記段差面と接触する端面との少なくとも一方が凸曲面となっていても、確実な打撃動作を得ることができる点で好ましい。
【発明の効果】
【００１３】
本発明においては、ハンマーがアンビルを打撃した直後の反動で両者が離れた後に再接触する時、段差面がアンビルと接触してアンビルの振動を抑え込むものであり、このために振動騒音を低減することができる。しかも振動抑制は再接触時に行われるだけで、打撃動作には影響を与えないために、トルクが低下してしまうことはない。
【図面の簡単な説明】
【００１４】
【図１】本発明の実施の形態の一例における振動抑制を示す説明図である。
【図２】同上の部分断面図である。
【図３】同上の低負荷時の動作説明図である。
【図４】同上の高負荷時の動作説明図である。
【図５】音圧波形を示す説明図であって、(a)は従来例を、(b)は上記実施例に係るものを示している。
【図６】(a)(b)は夫々他の実施例における部分断面図である。
【図７】従来例の動作説明図である。
【発明を実施するための形態】
【００１５】
本発明を実施の形態の一例に基づいて詳述すると、図２に示すように、このインパクト工具は、回転駆動源としてのモータ２と、モータ２の出力が減速部３を介して伝達される駆動軸４と、駆動軸４の外周に配されたハンマー５と、ハンマー５の先端面に設けた突部５１と軸回りの回転方向において係合するアンビル６とからなるもので、アンビル６はビットホルダー６１を先端に備えた出力軸６０が一体に形成されて軸受１１によって保持されている。
【００１６】
上記減速部３は、モータ２の出力軸に設けたサンギア３１と、該サンギア３１と同心で固定されているインターナルギア３２と、キャリア３３によって支持されて上記サンギア３１とインターナルギア３２とに噛み合う遊星ギア３４とからなる遊星減速機構で構成されている。
【００１７】
上記キャリア３３が一体に形成されている駆動軸４の外周に配されたハンマー５は、駆動軸４に対して軸方向移動及び軸回りの回転方向移動が自在となっているとともに、カム機構によって駆動軸４に対する動きが規定されているもので、コイルばね８によってアンビル６側に向けて付勢されている。
【００１８】
上記カム機構は、駆動軸４の外周面に形成されたＶ字形のカム溝４０と、ハンマー５の内周面に形成された軸方向のカム溝５０と、両カム溝４０，５０に係合するボール７とからなるもので、駆動軸４に対するハンマー５の軸方向移動が軸回りの回転を伴うものに規制する。
【００１９】
上記ビットホルダー６１に装着した工具ビット（図示せず）を締め付け部材に係合させてモータ２を回転させる時、その負荷が小さい時は、駆動軸４と共に回転するハンマー５の突部５１がアンビル６に係合した状態を維持したままアンビル６を回転させる。しかし、負荷が大きくなると、ハンマー５に対して駆動軸４の回転角が進むとともに上記カム機構による規制のためにハンマー５はコイルばね８による付勢に抗して後退してアンビル６から離れ、突部５１とアンビル６との係合が外れると、ハンマー５はコイルばね８の付勢とカム機構による規制とによって駆動軸４に対して回転しながら前進し、その突部５１でアンビル６に回転打撃を与える。
【００２０】
この打撃動作時、従来のハンマー５であれば、図７に示すように、ハンマー５は回転しながら前進し、その突部５１がアンビル６に衝突すると、その反動でアンビル６と突部５１とがいったん離れ、アンビル６はしばし振動する。図５(a)は上記打撃による衝突音の音圧波形を示している。
【００２１】
これに対して、本発明においては、上記ハンマー５における突部５１を、図１及び図３に示すように、ハンマー５の回転方向において先端側が基端側よりも後退した２段形状とし、基端部５１ａと先端部５１ｂとの間に段差面５１ｃを設けている。
【００２２】
このために、無負荷時及び負荷がきわめて小さい時には、突部５１の基端部５１ａ側面がアンビル６を押す形で駆動軸４及びハンマー５はアンビル６を回転させ、負荷が少し大きくなってハンマー５が後退を始めると、基端部５１がアンビル６が離れた時点でハンマー５は少し回転して先端部５１ｂ側面をアンビル６に係合させた状態となり、次いでハンマー５が更に後退すれば、先端部５１ｂもアンビル６から離れ、この時点でハンマー５は急速に回転しつつ前進してアンビル６に回転打撃を与える。
【００２３】
そして安定した打撃がなされる状態及び高負荷時には、図４に示すようにハンマー５における先端部５１ｂのみがアンビル６と係合するとともに先端部６１側面でアンビル６を打撃する状態となる。
【００２４】
ここにおいて、ハンマー５の突部５１の先端部５１ｂ側面によるアンビル６の打撃がなされた直後、図１に示すように、突部５１とアンビル６とは打撃反動によっていったん離れた後、再接触することになるが、この時、ハンマー５における基端部５１ａと先端部５１ｂとの間の段差面５１ｃは、コイルばね８による付勢を受けた状態でアンビル６を押さえ込むことになり、このためにアンビル６の振動は抑制されることになる。図５(b)にこの時の音圧波形を示す。突部５１の先端部５１ｂがアンビル６を打撃する時には、段差面５１ｃがアンビル６と接触していないために打撃時イの音圧は従来のものと変わらないが、上記再接触時ロに振動が抑制されるために音圧は急速に小さくなる。これは打撃によって発生するトルクが殆ど低下することなく騒音を小さくしていることを意味する。
【００２５】
図６(a)に他例を示す。ハンマー５の基端部５１ａの側面と段差面５１とのなす角度αが鋭角となる傾斜を段差面５１ｃに設けるとともに、アンビル６における段差面５１ｃと接触することになる後端面とハンマー５によって打撃される側面とのなす角度βが鋭角となるように、アンビル６の後端面に傾斜面６３を設けている。この場合、安定打撃時の動作は前記実施例と同様に図４に示すような動きとなるが、段差面５１ｃが上記傾斜を持つために、先端部５１ｂがアンビル６を打撃した反動で両者がいったん離れた後に再接触する時、段差面５１ｃがアンビル６の傾斜面６３に早期に接触する。つまり、図５(b)におけるイロ間の時間間隔が短くなり、騒音が小さくなる。また、段差面５１ｃと傾斜面６３との間の摩擦により振動抑制を更に図ることができる。
【００２６】
なお、ハンマー５の上記角度αよりもアンビル６の上記角度βの方を小さくしておくことが好ましい。ハンマー５が駆動軸４に対して回転してアンビル６を打撃する際に突部５１の基端部５１ａ側面がアンビル６に引っ掛かってしまうことを防いで、打撃動作が確実になされるようにするためである。
【００２７】
図６(b)に示すように、ハンマー５の段差面５１ｃ及びアンビル６の端面（傾斜した傾斜面６３となっていなくてもよい）の少なくとも一方を凸曲面とすることも、確実な打撃動作を得られるようにする点で有効である。
【符号の説明】
【００２８】
５  ハンマー
６  アンビル
５１  突部
５１ａ  基端部
５１ｂ  先端部
５１ｃ  段差面
【図１】
2010228043.tif 000003
【図２】
2010228043.tif 000004
【図３】
2010228043.tif 000005
【図４】
2010228043.tif 000006
【図５】
2010228043.tif 000007
【図６】
2010228043.tif 000008
【図７】
2010228043.tif 000009